(57)【要約】【課題】種々の形状や大きさを有する銅を利用可能なボウフラ発生抑制具を提供する。【解決手段】排水ます１０に設けられるボウフラ発生抑制具２０であって、水が出入り可能な収容部２１と、収容部２１に収容された状態で、排水ます１０内の水に浸漬される銅イオン発生部材２４と、を備える。【選択図】図１
2016140307.tif 000002
【特許請求の範囲】
【請求項１】
排水ますに設けられるボウフラ発生抑制具であって、
水が出入り可能な収容部と、
前記収容部に収容された状態で、前記排水ます内の水に浸漬される銅イオン発生部材と、
を備えることを特徴とするボウフラ発生抑制具。
【請求項２】
前記収容部は、前記排水ますの深さ方向に連結可能な単位ユニットを有して構成されており、前記単位ユニットの連結数は変更自在である請求項１に記載のボウフラ発生抑制具。
【請求項３】
前記収容部は、前記排水ますの上部に設けられた蓋から吊り下げられている請求項１または２に記載のボウフラ発生抑制具。
【請求項４】
前記収容部は、前記排水ますの底面に設置されている請求項１または２に記載のボウフラ発生抑制具。
【請求項５】
前記収容部を前記排水ます内の水に浮かせるための浮揚部が設けられている請求項１または２に記載のボウフラ発生抑制具。
【請求項６】
前記収容部と前記浮揚部とが一体的に構成されている請求項５に記載のボウフラ発生抑制具。
【請求項７】
前記収容部と前記浮揚部とが一体的に構成されて、全体形状が球状となっている請求項６に記載のボウフラ発生抑制具。
【請求項８】
前記収容部は、前記排水ます内の水面の半分以上の面積にわたって広がっている請求項５に記載のボウフラ発生抑制具。
【請求項９】
前記収容部に、前記排水ます内の水を酸性にするための酸性促進剤が収容されている請求項１ないし８のいずれか１項に記載のボウフラ発生抑制具。
【発明の詳細な説明】
【技術分野】
【０００１】
本発明は、排水ますに設けられるボウフラ発生抑制具に関する。
【背景技術】
【０００２】
雨水や下水を排出する管路の途中には、汚泥等が下流側へ流れてしまうことを防止するため、雨水ますや汚水ます等の排水ますが設けられることがある。しかしながら、このような排水ますには、汚泥等だけでなく水も滞留するため、ボウフラの発生源となりやすい。そこで、特許文献１、２には、銅イオンによる微量金属作用でボウフラを死滅させるべく、排水ますに銅を設けることが開示されている。特許文献１では、水中にて垂直な状態を維持するように銅板が設けられており、特許文献２では、板状や棒状の銅が、雨水ますの内壁に固定されている。
【先行技術文献】
【特許文献】
【０００３】
【特許文献１】特開２００８−３８５７８号公報
【特許文献２】特開２０００−１５４５８９号公報
【発明の概要】
【発明が解決しようとする課題】
【０００４】
しかしながら、特許文献１、２に記載のボウフラ発生抑制具においては、使用される銅が板状や棒状のものに限られ、しかも一定以上の大きさでないと取り付けが困難である。つまり、利用可能な銅の形状や大きさが非常に限定的であるという問題があった。
【０００５】
本発明は、上記事情に鑑みてなされたものであって、種々の形状や大きさを有する銅を利用可能なボウフラ発生抑制具を提供することを目的とする。
【課題を解決するための手段】
【０００６】
本発明は、排水ますに設けられるボウフラ発生抑制具であって、水が出入り可能な収容部と、前記収容部に収容された状態で、前記排水ます内の水に浸漬される銅イオン発生部材と、を備えることを特徴とする。
【発明の効果】
【０００７】
本発明では、銅イオン発生部材が、水が出入り可能な収容部に収容された状態で排水ます内の水に浸漬されることで、銅イオンが水に溶出し、水中のボウフラを死滅させることができる。本発明によれば、収容部に収容さえできれば、銅イオン発生部材の形状や大きさは特に限定されないので、種々の形状や大きさを有する銅や銅合金を銅イオン発生部材として利用することができる。
【図面の簡単な説明】
【０００８】
【図１】ボウフラ発生抑制具の第１実施形態を示す縦断面図である。
【図２】単位ユニットを示す斜視図である。
【図３】ボウフラ発生抑制具の第２実施形態を示す縦断面図である。
【図４】ボウフラ発生抑制具の第３実施形態を示す縦断面図である。
【図５】ボウフラ発生抑制具の第４実施形態を示す縦断面図である。
【図６】ボウフラ発生抑制具の第５実施形態を示す縦断面図である。
【発明を実施するための形態】
【０００９】
以下、図面を参照しつつ、本発明にかかるボウフラ発生抑制具の実施形態について説明する。なお、以下の各実施形態では、雨水管の途中に設けられる雨水ますにボウフラ発生抑制具を適用する場合について説明する。しかしながら、本発明にかかるボウフラ発生抑制具は、雨水ますに限らず、下水管の途中に設けられる汚水ます等、各種の排水ますに対して適用することが可能である。
【００１０】
［第１実施形態］
図１は、ボウフラ発生抑制具の第１実施形態を示す縦断面図である。まず、ボウフラ発生抑制具２０が設けられる雨水ます１０について説明する。雨水ます１０は、有底円筒状の本体１１、本体１１の上部に着脱自在に設けられた円板状の蓋１２、ならびに本体１１の側面に接続される流入管１３および排水管１４を有して構成される。
【００１１】
流入管１３は、排水管１４よりも高い位置に形成されている。流入管１３を流れてきた雨水や汚泥等が雨水ます１０に流入すると、汚泥等は雨水ます１０の底面に堆積するので、汚泥等がさらに下流側に流れることを防止できる。一方、雨水ます１０に流入した雨水は、排水管１４の高さまでは水位が上昇するが、水位が排水管１４の高さを超えると、排水管１４より排出される。なお、雨水ます１０の具体的構成は適宜変更が可能であり、例えば本体１１の形状は有底円筒状に限定されず、直方体状等であってもよい。
【００１２】
ボウフラ発生抑制具２０は、水が出入り可能な収容部２１に、銅イオン発生部材２４が収容されて構成される。ここで、銅イオン発生部材２４とは、水に銅イオンを溶出させることが可能な部材を指し、銅だけでなく、銅合金も含む概念である。
【００１３】
収容部２１は、雨水ますの深さ方向に連結可能な単位ユニット２２を、複数（本実施形態では４つ）連結させることによって構成されている。単位ユニット２２の連結数は適宜変更することが可能である。
【００１４】
図２は、単位ユニット２２を示す斜視図である。図２に示すように、単位ユニット２２は全体として直方体状とされており、直方体の辺に相当する部位を構成する枠体２２ａと、枠体２２ａに取り付けられ、直方体の面に相当する部位を構成するメッシュ状のメッシュ材２２ｂとを有する。
【００１５】
枠体２２ａは、例えば金属や樹脂等からなり、単位ユニット２２が容易には変形しない程度の強度を有する。枠体２２ａの強度を向上させるため、枠体２２ａに適宜補強材を設けてもよい。一方、メッシュ材２２ｂを構成する材料は、例えば金属、樹脂、合成繊維等とすることが可能である。メッシュ材２２ｂは、銅イオン発生部材２４が単位ユニット２２の外に出てしまわないように、十分に目が細かいものとする。図示は省略するが、メッシュ材２２ｂの一部は開閉可能な開閉部となっており、この開閉部から銅イオン発生部材２４を単位ユニット２２に出し入れできるようになっている。
【００１６】
また、上下に隣接する２つの単位ユニット２２間には、枠体２２ａに係合可能なフック状の係合部２２ｃが設けられており、この係合部２２ｃによって単位ユニット２２同士の連結状態が固定されるものとする。なお、係合部２２ｃの形態は、本実施形態のようにフック状のものに限定されず、凹凸による嵌合やクリップ等を利用したものでもよい。
【００１７】
図１に戻って説明を続ける。複数の単位ユニット２２が連結された収容部２１は、雨水ます１０の蓋１２から、紐や針金等からなる吊り下げ部材２３によって吊り下げられている。蓋１２には、作業員の手や所定の工具等を差し込んで蓋１２を持ち上げるための貫通孔１２ａが形成されており、この貫通孔１２ａに吊り下げ部材２３が通されている。ただし、収容部２１を蓋１２以外の部位、例えば雨水ます１０の本体１１の側面から張り出された支持部材等により、吊り下げ支持することも可能である。
【００１８】
収容部２１には、銅イオン発生部材２４に加えて、酸性促進剤２５も収容されている。酸性促進剤２５は、雨水ます１０内の水を酸性にするためのｐＨ調整剤である。酸性促進剤２５により、雨水ます１０内の水を例えばｐＨ５．８以上７未満程度の酸性にすることで、銅イオン発生部材２４から銅イオンが溶出しやすくなり、ボウフラをより確実に死滅させることができる。
【００１９】
（効果）
第１実施形態では、銅イオン発生部材２４が、水が出入り可能な収容部２１に収容された状態で雨水ます（排水ます）１０内の水に浸漬されることで、銅イオンが水に溶出し、水中のボウフラを死滅させることができる。第１実施形態によれば、収容部２１に収容さえできれば、銅イオン発生部材２４の形状や大きさは特に限定されないので、種々の形状や大きさを有する銅や銅合金を銅イオン発生部材２４として利用することができる。また、このように、収容部２１に銅イオン発生部材２４を収容しておくことで、銅イオン発生部材２４が流されてしまうことがなく、銅イオン発生部材２４を回収することができるので、銅イオン発生部材２４を再利用することも可能となる。
【００２０】
また、第１実施形態では、収容部２１は、雨水ます１０の深さ方向に連結可能な単位ユニット２２を有して構成されており、単位ユニット２２の連結数は変更自在であるので、様々な深さの雨水ます１０に対応可能である。例えば、深い雨水ます１０の場合には、単位ユニット２２の段数を増やすことで、銅イオン発生部材２４を確実に水に浸漬させることができる。一方、浅い雨水ます１０の場合には、単位ユニット２２の段数を減らせばよい。
【００２１】
また、第１実施形態では、収容部２１は、雨水ます１０の上部に設けられた蓋１２から吊り下げられているので、蓋１２を外すことによって、収容部２１も同時に雨水ます１０から取り出されることになる。よって、雨水ます１０のメンテナンスや、銅イオン発生部材２４の回収等が容易となる。
【００２２】
［第２実施形態］
図３は、ボウフラ発生抑制具の第２実施形態を示す縦断面図である。ここでは、主に第１実施形態と異なる点について説明し、第１実施形態と共通する構成およびそれによって奏される効果については、説明を省略する。
【００２３】
第２実施形態のボウフラ発生抑制具３０も、第１実施形態のボウフラ発生抑制具２０と同様に、複数の単位ユニット２２を雨水ます１０の深さ方向に連結させることによって収容部３１が構成されている。しかしながら、このように構成された収容部３１が、雨水ます１０の蓋１２に吊り下げられるのではなく、雨水ます１０の底面に設置されている点が、第１実施形態とは異なる。なお、収容部３１を安定的に設置するため、収容部３１を支持するための支持部材を別途設けてもよい。
【００２４】
（効果）
第２実施形態のボウフラ発生抑制具３０によれば、収容部３１は、雨水ます１０の底面に設置されているので、雨水ます１０内に滞留している水の量が少ない場合でも、確実に銅イオン発生部材２４を水に浸漬させることができる。このため、水の量が少なくても銅イオンを溶出させることができ、ボウフラを確実に死滅させることができる。また、収容部３１を雨水ます１０の底面に設置するだけでよいので、ボウフラ発生抑制具３０の取り付けが容易である。
【００２５】
［第３実施形態］
図４は、ボウフラ発生抑制具の第３実施形態を示す縦断面図である。ここでは、主に第１、２実施形態と異なる点について説明し、第１、２実施形態と共通する構成およびそれによって奏される効果については、説明を省略する。
【００２６】
第１実施形態のボウフラ発生抑制具２０は、雨水ます１０の蓋１２から吊り下げ支持されるものとし、第２実施形態のボウフラ発生抑制具３０は、雨水ます１０の底面に設置されるものとした。この点、第３実施形態のボウフラ発生抑制具４０は、水に浮いた状態で設けられている点が、第１、２実施形態と大きく異なる。
【００２７】
ボウフラ発生抑制具４０においては、収容部４１を水面付近に浮かせるための浮揚部４２が設けられている。収容部４１は、例えばメッシュ状の金属や樹脂等で作製されており、その内部に銅イオン発生部材２４および酸性促進剤２５が収容されている。収容部４１のメッシュを銅製とすれば、メッシュからの銅イオンの発生も期待できる。一方、浮揚部４２は、例えば樹脂製の密閉容器に空気が充填されたものであり、その浮力により、収容部４１を雨水ます１０内の水面付近に浮かせることができる。あるいは、浮揚部４２を発泡スチロール等で構成することも可能である。
【００２８】
本実施形態では、収容部４１および浮揚部４２がともに半球状となっており、半球状の収容部４１と浮揚部４２とが一体的に構成されて、ボウフラ発生抑制具４０の全体形状が球状となっている。このような球状のボウフラ発生抑制具４０は、別々に作製した収容部４１と浮揚部４２とを結合させることで構成してもよいし、樹脂成形等により内部が２つの空間に分割された中空部材を用意し、その一方を収容部４１、他方を浮揚部４２とすることも可能である。
【００２９】
ここで、球状のボウフラ発生抑制具４０の直径は、排水管１４の直径よりも大きいことが好ましい。こうすることで、水面を浮遊しているボウフラ発生抑制具４０が、排水管１４から流れ出てしまうことがない。あるいは、ボウフラ発生抑制具４０に紐や針金等を取り付けて、これを雨水ます１０の所定の位置に固定することで、ボウフラ発生抑制具４０の流出を防ぐようにしてもよい。
【００３０】
（効果）
第３実施形態のボウフラ発生抑制具４０によれば、収容部４１を雨水ます１０内の水に浮かせるための浮揚部４２が設けられているため、収容部４１は水に浮いた状態となる。したがって、雨水ます１０内の水の量が変動したとしても、収容部４１は水に浮いた状態を維持するため、収容部４１内の銅イオン発生部材２４は常に水に浸漬した状態となり、ボウフラの発生をより確実に抑制することができる。
【００３１】
また、第３実施形態では、収容部４１と浮揚部４２とが一体的に構成されているので、ボウフラ発生抑制具４０の取り扱いが容易である。また、ボウフラ発生抑制具４０を雨水ます１０内に投入するだけでよいので、ボウフラ発生抑制具４０の設置が容易である。
【００３２】
また、第３実施形態では、収容部４１と浮揚部４２とが一体的に構成されて、全体形状が球状となっているので、ボウフラ発生抑制具４０を安定的に水に浮かせることができる。
【００３３】
［第４実施形態］
図５は、ボウフラ発生抑制具の第４実施形態を示す縦断面図である。ここでは、主に第１〜３実施形態と異なる点について説明し、第１〜３実施形態と共通する構成およびそれによって奏される効果については、説明を省略する。
【００３４】
第４実施形態のボウフラ発生抑制具５０は、第３実施形態のボウフラ発生抑制具４０と同様に、浮揚部５２によって収容部５１を水に浮かせる構成となっている。ただし、収容部５１が、雨水ます１０内の水面の半分以上の面積にわたって広がる平面形状を有している点が、第３実施形態とは異なる。
【００３５】
収容部５１は、例えば洗濯用ネットのようなメッシュ状のメッシュ袋の周囲を、針金や銅線等からなる枠部材で囲うことで、平面的に広がった形状を維持できるようにされている。枠部材は、巾着袋の紐のように、絞って短くしたり、緩めて伸ばしたりすることができることが好ましい。こうすることで、収容部５１の平面的な広さが変更可能となり、様々なサイズの雨水ます１０に対応可能なボウフラ発生抑制具５０とすることができる。
【００３６】
浮揚部５２は、収容部５１を水に浮かせることができるものであればどのようなものでも構わない。例えば、第３実施形態と同様に、樹脂製の密閉容器に空気を充填したものや発泡スチロール等で、浮揚部５２を構成することができる。
【００３７】
（効果）
第４実施形態のボウフラ発生抑制具５０によれば、収容部５１は、雨水ます１０内の水面の半分以上の面積にわたって広がっているため、仮にボウフラが羽化して蚊になったとしても、蚊が空中に飛び出しにくくなり、蚊の発生を抑制することができる。また、流入管１３から流れてきた汚泥等が収容部５１に堆積することで、雨水ます１０のメンテナンスが容易となる。なお、これらの効果を高めるには、収容部５１が水面の略全面を覆っていることが望ましいが、少なくとも水面の半分以上、好ましくは水面の７０％程度以上を覆っていれば、一定の効果が得られる。また、収容部５１の上面をビニールシート等で覆うようにしてもよい。
【００３８】
［第５実施形態］
図６は、ボウフラ発生抑制具の第５実施形態を示す縦断面図である。ここでは、主に第１〜４実施形態と異なる点について説明し、第１〜４実施形態と共通する構成およびそれによって奏される効果については、説明を省略する。
【００３９】
第５実施形態のボウフラ発生抑制具６０は、収容部６１を浮揚部６２によって水に浮かせている点は第２、３実施形態と同様であるが、収容部６１を水面ではなく、水中に浮かせている点が第２、３実施形態と異なる。
【００４０】
収容部６１は、第３実施形態と同様に、メッシュ状の金属製（特に銅製が好ましい）や樹脂製となっている。浮揚部６２も、第３実施形態と同様に、樹脂製の密閉容器に空気を充填したものや発泡スチロール等となっている。収容部６１は、連結部材６３によって浮揚部６２に連結されている。連結部材６３は、針金や銅線、あるいは合成繊維製の紐等によって構成される。収容部６１の重量（あるいは銅イオン発生部材２４を加えた重量）は、水面には浮いてこない程度には重く、一方、浮揚部６２を沈ませない程度には軽いものとする。なお、図６では、収容部６１を球状としているが、収容部６１の形状は適宜変更が可能である。
【００４１】
（効果）
第５実施形態のボウフラ発生抑制具６０のように、収容部６１が水中に位置した状態と維持できるように構成することで、収容部６１内の銅イオン発生部材２４から銅イオンが溶出しやすく、しかも、溶出した銅イオンが雨水ます１０内の水の全域に行きわたりやすくなる。
【００４２】
［他の実施形態］
なお、本発明は上記各実施形態に限定されるものではなく、その趣旨を逸脱しない限りにおいて上記各実施形態の要素を適宜組み合わせまたは種々の変更を加えることが可能である。
【００４３】
例えば、第１〜５実施形態では、収容部２１、３１、４１、５１、６１をメッシュ状のものとすることで、水の出入りを可能とした。しかしながら、収容部２１、３１、４１、５１、６１をメッシュ状にする代わりに、例えば、微小な貫通孔が多数形成された多孔板等で収容部２１、３１、４１、５１、６１を構成してもよい。また、収容部２１、３１、４１、５１、６１の全面をメッシュ材や多孔板で構成することは必須ではなく、少なくとも一部がメッシュ材や多孔板で構成されることで、収容部２１、３１、４１、５１、６１に対して水が出入り可能であればよい。
【００４４】
また、第１〜５実施形態では、銅イオンの溶出を促進するため、雨水ます１０内の水を酸性にするための酸性促進剤２５を設けるものとしたが、酸性促進剤２５を設けることは必須ではない。
【００４５】
また、第３実施形態のように、収容部４１と浮揚部４２とが一体的に構成されているボウフラ発生抑制具４０において、その全体形状を球状とすることは必須ではない。例えば、ボウフラ発生抑制具４０の全体形状を、円筒状や逆円錐状等の他の形状とすることも可能である。
【符号の説明】
【００４６】
１０：雨水ます（排水ます）
１２：蓋
２０、３０、４０、５０、６０：ボウフラ発生抑制具
２１、３１、４１、５１、６１：収容部
２２：単位ユニット
２４：銅イオン発生部材
２５：酸性促進剤
４２、５２、６２：浮揚部
【図１】
2016140307.tif 000003
【図２】
2016140307.tif 000004
【図３】
2016140307.tif 000005
【図４】
2016140307.tif 000006
【図５】
2016140307.tif 000007
【図６】
2016140307.tif 000008